(57)【特許請求の範囲】
【請求項１】
第１の受信部、送信部、デジタル信号処理部および第１の発振部を有する無線装置であって、
上記第１の受信部は、少なくとも基地局からの受信信号を中間周波信号に変換する第１の周波数混合部を有し、
上記送信部は、所定の無線周波数を生成する第２の周波数混合部を有し、
上記デジタル信号処理部は、上記第１の周波数混合部からの信号を復調する第１の復調部と、上記基地局からの受信信号の周波数と上記第１の発振部の発振周波数との誤差信号電圧を出力する第１の自動周波数制御回路および入力信号を変調する変調部を有し、
上記第１の発振部は、第１の発振回路と、上記第１の発振回路に供給され上記第１の発振回路を第１の基準周波数で発振させる第１の基準電圧値を記憶する記憶部と、上記第１の自動周波数制御回路からの誤差信号に基づいて上記記憶部の第１の基準電圧値を書き換える制御部と、上記記憶部の第１の基準電圧値と上記第１の自動周波数制御回路からの誤差信号電圧とを加算して該加算した第１の制御電圧を上記第１の発振回路に供給する第１の加算部と、上記第１の制御電圧と上記第１の基準電圧との差である第１の差分電圧を上記制御部に供給する第１の減算部とを有し、上記第１の発振部の出力を上記第１と第２の周波数混合部に供給するものであり、
上記第１の発振部の制御部は、第１の閾値設定部を有し、上記第１の差分電圧が上記第１の閾値設定部で設定された誤差範囲を超える場合、上記制御部は、上記記憶部に記憶されている上記第１の基準電圧値を書き換えることを特徴とする無線装置。
【請求項２】
請求項１記載の無線装置において、更に、第２の受信部および第２の発振部を有し、上記第２の受信部は、少なくとも他の無線装置からの受信信号を中間周波信号に変換する第３の周波数混合部を有し、上記デジタル信号処理部は、更に、上記第３の周波数混合部からの信号を復調する第２の復調部と、上記他の無線装置からの受信信号の周波数と上記第２の発振部の発振周波数との誤差信号電圧を出力する第２の自動周波数制御回路を有し、上記第２の発振部は、第２の発振回路と、上記第２の発振回路に供給され上記第２の発振回路を第２の基準周波数で発振させる第２の基準電圧値を記憶する記憶部と、上記第２の自動周波数制御回路からの誤差信号電圧に基づいて上記記憶部の第２の基準電圧値を書き換える制御部と、上記記憶部の第２の基準電圧値と上記第２の自動周波数制御回路からの誤差信号電圧とを加算して該加算した第２の制御電圧を上記第２の発振回路に供給する第２の加算部と、上記第２の制御電圧と上記第２の基準電圧との差である第２の差分電圧を上記制御部に供給する第２の減算部とを有し、上記第２の発振部の出力を上記第３の周波数混合部に供給するものであり、
上記第２の発振部の制御部は、第２の閾値設定部を有し、上記第２の差分電圧が上記第２の閾値設定部で設定された誤差範囲を超える場合、上記制御部は、上記記憶部に記憶されている上記第２の基準電圧値を書き換えることを特徴とする無線装置。
【発明の詳細な説明】
【技術分野】
【０００１】
本発明は、無線装置に関し、特に、周波数変動の少ない無線装置に関するものである。
【背景技術】
【０００２】
現在、実用化されているデジタル無線システムの一つとして、標準規格ARIB STD-T79（Association of Radio Industries and Businesses-T79）（例えば、非特許文献１参照）で定められている移動通信システム、あるいは、標準規格ARIB STD-T61（Association of Radio Industries and Businesses-T61）（例えば、非特許文献２参照）で定められている狭帯域デジタル通信システム等がある。これらデジタル通信システムは、複数の基地局、中継局および多数の移動局からなるシステムが普通である。
【０００３】
このデジタル通信システムは、基地局の通信エリア内にある複数の移動局と基地局間、あるいは基地局を経由した移動局間、あるいは移動局間直接通信等の通信接続サービス、あるいは、通信エリアの外の移動局と通信エリア内の移動局との通信接続サービスが行なわれるように構成されたシステムである。
【０００４】
そして、上述した基地局および移動局は、それぞれ無線回線を用いて通話を行うが、使用する無線周波数（無線キャリア）は、標準規格ARIB STDで定められている。例えば、デジタル無線技術を用いた狭帯域デジタル通信システムで使用が許可されている無線キャリア（carrier）周波数割当てを図４に示す。図４において、上り方向、即ち、移動局→基地局の方向では、約４００ＭＨｚ〜の無線キャリアＦｒで、１２．５ＫＨｚ巾で、数十波（Ｆｒ１、Ｆｒ２、・・・）が認められている。また、下り方向、即ち、基地局→移動局の方向では、上り方向の４００ＭＨｚから４５ＭＨｚ離れた約４４５ＭＨｚ〜の無線キャリアＦｔで、１２．５ＫＨｚ巾で、数十波（Ｆｔ１、Ｆｔ２、・・・）が認められている。従って、デジタル無線通信システムの通信においては、上り方向Ｆｒ１、Ｆｒ２、・・・、下り方向Ｆｔ１、Ｆｔ２、・・・の各周波数が使用される。そして、各システムは、その規模に応じて１又は複数の無線キャリアを制御用キャリアとし、残りを通信用キャリアとして使用することができる。更に、移動局間直接通信用に無線キャリアＷが１０数波認められ、無線キャリアＷ１、Ｗ２、・・の内の一波の無線キャリアでプレストーク方式の通話が行われる。
【０００５】
而して、上述したシステムで運用される基地局および移動局は、使用する無線キャリアの周波数および周波数許容偏差が厳格に定められており、これがシステムを運用する場合の大きな課題である。以下、これについて詳細に説明する。
【０００６】
図５は、例えば、移動局として用いられる従来の無線装置、即ち、送受信装置の概略構成を示すブロック図である。図５において、まず、受信動作について説明する。１０１は、基地局からの信号を受信するアンテナ、１０２は、信号の送信、受信を切替える切替スイッチであり、プレストーク方式の無線装置では、送信と受信を手動で切替える切替スイッチであり、複信の場合には、送信、受信を高速で切替えるスイッチで構成される。１０３は、高周波増幅部でアンテナ１０１で受信された高周波信号を増幅する。１０４は、周波数混合部で、中間周波数に変換する。１０５は、中間周波増幅回路、１０６は、アナログ信号をデジタル信号に変換するＡＤ変換部である。１０７は、デジタル信号処理部であり、復調部１０８で、入力信号をデジタル復調した信号、例えば、音声信号が出力端子１０９から出力される。
【０００７】
次に、送信動作について説明する。入力端子１１３から入力される、例えば、音声信号は、デジタル信号処理部１０７の変調部１１４でデジタル変調され、デジタル信号をアナログ信号に変換するＤＡ変換部１１５に供給される。ＤＡ変換部１１５の出力は、中間周波増幅部１１６で、中間周波増幅され、周波数混合部１１７で、割当てられた無線周波数に変換し、電力増幅部１１８、切替スイッチ１０２を経由してアンテナ１０１から送信される。
【０００８】
ここで周波数の自動制御方法について説明する。まず、基地局から送られてくる受信信号は、前述のようにアンテナ１０１で受信され、高周波増幅部１０３、周波数混合部１０４、中間周波増幅部１０５、ＡＤ変換部１０６を介してデジタル信号処理部１０７に供給される。デジタル信号処理部１０７の復調部１０８からは、受信周波数同調のための制御データがＡＦＣ（Automatic Frequency Controller：自動周波数制御回路）５０１に供給される。ＡＦＣ５０１では、所定の周波数制御信号が加算器５０２、ＤＡ変換器１１０を介して発信回路１１１（ＶＣＴＣＸＯ：Voltage Controlled and Temperature Compensated Crystal Oscillator：電圧制御温度補償型水晶発振器）に供給され、ローカル回路１１２を介して周波数混合部１０４および１１７に供給される。なお、５０３は、操作部（図示せず。）からの操作信号の入力端子、５０４は、制御部、５０５は、例えば、不揮発性メモリ等の半導体メモリで構成される記憶部である。
【０００９】
そして、受信時には、無線装置は、アンテナ１０１を介して基地局からの送信波を受信する。アンテナ１０１から取り込まれた受信信号は、まず、高周波増幅回路１０３で、次段の周波数混合回路１０４で必要とするレベルにまで増幅され、周波数混合回路１０４に入力される。周波数混合回路１０４では、受信信号の周波数とローカル回路１１２の出力であるローカル信号が混合され、中間周波数に変換される。ここで、ローカル回路１１２は、発信回路１１１からの基準周波数を入力して所定のローカル信号を出力する。
【００１０】
而して、発信回路１１１の発振周波数は、上述したように無線システムとして使用が認められた周波数で動作するように無線機を出荷する時点で厳格に調整され出荷される。即ち、予め工場出荷時に発信回路１１１の基準周波数、例えば、１９．２ＭＨｚとなる最適な電圧値を記憶部５０５に書き込み、出荷される。従って、運用時には、操作者が例えば、電源をＯＮすると、入力端子５０３からの起動信号が制御部５０４を駆動し、記憶部５０５に記憶されている最適な電圧値を読み出し、加算器５０２に供給する。この最適な電圧値は、ＤＡ変換部１１０を介して発信回路１１１に供給される。
【００１１】
一方、アンテナ１０１からの受信信号は、周波数混合部１０４でローカル回路１１２からの基準周波数と混合され、中間周波数に変換される。そして、中間周波増幅部１０５で増幅され、ＡＤ変換部１０６でデジタル信号に変換され、デジタル信号処理部１０７の復調部１０８に入力される。復調部１０８では、受信周波数同調のための制御データが自動周波数制御部（ＡＦＣ５０１）に供給される。ＡＦＣ５０１では、基地局からの受信信号の周波数と発信回路（ＶＣＴＣＸＯ）１１１の発振周波数との周波数誤差を計算し、周波数誤差に値する電圧値を加算器５０２に供給する。加算器５０２では、ＡＦＣ５０１からの周波数誤差に値する電圧値と記憶部５０５からの基準電圧値とが加算され、ＤＡ変換器１１０を介して発信回路（ＶＣＴＣＸＯ）１１１へ入力される。これによって発信回路（ＶＣＴＣＸＯ）１１１の発振周波数の補正を行い、基地局からの受信信号の周波数に自局の周波数を追従させる。
【００１２】
一方、送信時には、記憶部５０５に書き込まれている基準周波数の最適な電圧値を読み出し、加算器５０２、ＤＡ変換器１１０を介して発信回路（ＶＣＴＣＸＯ）１１１に供給され、発信回路（ＶＣＴＣＸＯ）１１１が所定の発信周波数で発信し、ローカル回路１１２を介して周波数混合部１１７に供給される。勿論、この場合の発信回路（ＶＣＴＣＸＯ）１１１は、受信時に基地局からの受信信号の周波数に追随した周波数で発振していることは言うまでもない。従って、入力端子１１３から入力される、例えば、音声信号は、デジタル信号処理部１０７の変調部１１４でデジタル変調され、送信信号が生成され、ＤＡ変換部１１５を介して、中間周波増幅部１１６にて次段の周波数混合部１１７で必要とするレベルにまで増幅され、周波数混合部１１７に入力される。周波数混合部１１７では、送信信号の周波数とローカル回路１１２の出力であるローカル信号が混合され、電力増幅部１１８で増幅された後、切替スイッチ１０２を介してアンテナ１０１から送信される。以上のように、発信回路（ＶＣＴＣＸＯ）１１１は、無線装置の送受信時において安定した周波数精度をもつ基地局の周波数との同期を図る目的で使用されている。
【００１３】
図６は、基地局あるいは基地局を介して他の無線装置（または他の移動局）と通信を行う機能と、他の無線装置（または他の移動局）と直接通信を行う機能とを有する無線装置の一例の概略構成を示すブロック図である。図６において、６０１は、他の無線装置（図示せず。）と直接通信を行う受信用アンテナであり、例えば、図４に示す無線キャリアＷ１が受信される。６０２は、直接通信用高周波増幅部、６０３は、直接通信受信用周波数混合部、６０４は、直接通信用中間周波増幅部、６０５は、直接通信用ＡＤ変換部、６０７は、デジタル信号処理部、６０８は、直接通信用直接波復調部、６０９は、例えば、音声出力端子である。６１０は、ＤＡ変換部、６１１は、直接通信受信用発信回路（ＶＣＴＣＸＯ：Voltage Controlled and Temperature Compensated Crystal Oscillator：電圧制御温度補償型水晶発振器）、６１２は、直接通信受信用ローカル回路である。６２０は、ＡＦＣ（Automatic Frequency Controller：自動周波数制御回路）、６２１は、加算器、６２２は、入力端子、６２３は、制御部、６２４は、記憶部である。なお、図５と同じものには同じ符号が付されている。
【００１４】
以下、図６に示される無線装置の動作について説明する。他の無線装置（または移動局）から送信された移動局間直接通信波、例えば、無線キャリアＷ１をアンテナ６０１を介して受信する。アンテナ６０１で受信した受信信号は、直接通信用高周波増幅部６０２で増幅を行い、周波数混合部６０３に入力される。周波数混合部６０３に入力された受信信号は、ローカル回路６１２から出力されるローカル信号と混合され、中間周波数に変換される。そして、中間周波増幅部６０４で所定のレベルに増幅され、ＡＤ変換部６０５にてデジタル信号に変換され、デジタル信号処理部６０７の直接波復調部６０８に入力される。デジタル信号復調部６０７の直接波復調部６０８では、デジタル復調され、出力端子６０９から、例えば、音声信号が出力される。
【００１５】
一方、直接波復調部６０８から他の無線装置からの受信周波数同調のための制御データがＡＦＣ（Automatic Frequency Controller）６２０に供給される。ＡＦＣ６２０では、受信信号の周波数と直接通信受信用発信回路（ＶＣＴＣＸＯ）６１１の発信周波数との周波数誤差計算を行い、誤差電圧値が加算器６２１に供給される。また、加算器６２１には、記憶部６２４から読み出された所定の初期値電圧が供給される。即ち、記憶部６２４から直接通信受信用発信回路（ＶＣＴＣＸＯ）６１１の基準発信周波数となる初期値電圧が、例えば、無線装置の電源をＯＮした時、あるいは、他の無線装置と直接通信を行う時に所定のスイッチをＯＮする場合、入力端子６２２にそのＯＮスイッチに連動して信号が入力され、制御部６２３を起動し、記憶部６２４から読み出される。従って、加算器６２１からの加算出力がＤＡ変換器６１０を介して直接通信受信用発信回路（ＶＣＴＣＸＯ）６１１に供給される。ローカル回路６１２から出力されるローカル信号は、発信回路（ＶＣＴＣＸＯ）６１１から出力される基準周波数を分周・逓倍することにより所定の周波数を生成する。以上のように構成することにより記憶部６２４に、出荷時に最適な初期値に書込まれた所定の電圧値をＡＦＣ６２０からの誤差値（補正値）を加えこれによって他の無線装置（または移動局）から送信されてきた周波数にローカル周波数を追従させ、最適に復調できるようにしている。
【００１６】
次に、移動局間直接通信の場合の送信動作について説明する。移動局間直接通信の場合の送信は、基地局あるいは基地局を介して他の無線装置（または他の移動局）と通信を行う送信装置と同じ送信装置を使用する。即ち、図４で示すように無線装置から基地局への上り方向は、無線キャリアＦｒを用いている。また、移動局間直接通信に用いる無線キャリアＷは、上り方向の無線キャリアＦｒに隣接する下側の無線キャリアＷが使用されている。従って、移動局間直接通信の場合の送信装置は、基地局あるいは基地局を介して他の無線装置（または他の移動局）と通信を行う送信装置と兼用することができる。
【００１７】
この送信装置について簡単に説明する。送信時には、図５で説明したように、例えば、基地局との通信時に基地局から送信される受信周波数同調のための制御データが基地波復調部１０８からＡＦＣ５０１に供給される。ＡＦＣ５０１では、発信回路（ＶＣＴＣＸＯ）１１１の発信周波数との周波数誤差計算を行い、誤差電圧値が加算器５０２に供給される。加算器５０２では、記憶部６２４に記憶されている所定の初期値電圧と加算され、補正された電圧値がＤＡ変換部１１０でＤＡ変換され、発信回路（ＶＣＴＣＸＯ）１１１へ入力して基準周波数を生成し、ローカル回路１１２にて、基準周波数を分周・逓倍し、周波数混合部１１７に供給し、ここで、直接通信用の無線キャリアＷ、例えば、所定の周波数Ｗ１を生成する。
【００１８】
一方、入力端子１１３からの音声信号は、デジタル信号処理部６０７の変調部１１４にてデジタル送信信号を生成し、ＤＡ変換部１１５を介して、中間周波数増幅部１１６にて周波数混合部１１７で必要とする所定入力レベルに増幅し、周波数混合部１１７で送信周波数（所定の周波数Ｗ１）を生成する。生成された所定の周波数Ｗ１は、電力増幅部１１８にて所定の送信レベルに増幅され、切替スイッチ１０２を介して、アンテナ１０１から移動局間直接通信の相手側無線装置に送信される。
【００１９】
なお、基地局あるいは基地局を介して他の無線装置（または他の移動局）と通信を行う無線装置の動作については、図５で説明したものと同じであるので、ここでの説明は省略する。但し、図６に示す入力端子６２２、制御部６２３および記憶部６２４の動作は、図５に示す入力端子５０３、制御部５０４および記憶部５０５の動作にそれぞれほぼ対応する。
【００２０】
以上詳述したように、発信回路（ＶＣＴＣＸＯ）１１１および６１１は、無線装置の送受信時において安定した周波数精度をもつ基地局の周波数あるいは移動局間直接通信の場合の相手側無線装置との同期を図る目的で使用されている。しかしながら、無線装置（または移動局）の電源ＯＮ時、または基地局を介さずに無線装置（または移動局）同士が直接通信を行う直接通信の送信時には、基地局あるいは無線装置（移動局）間直接通信の場合の無線装置からの受信周波数同調のための制御データがないため、発信回路（ＶＣＴＣＸＯ）１１１および６１１の発振周波数は、記憶部５０５あるいは６２４に書き込まれている初期値に戻ってしまうので、無線装置（または移動局）の電源ＯＮ時、または基地局を介さない無線装置（または移動局）同士の直接通信等の度にＡＦＣによる水晶発振器の発振周波数の自動制御が必要となってしまう。特に、発信回路（ＶＣＴＣＸＯ）は、機械的なストレスや環境の変化等で生じる経年変化が無視できない場合等では、記憶部５０５あるいは６２４に記憶している初期値の再調整が必要となり、保守点検が大きな問題となっている。
【００２１】
【特許文献１】特開２００１−２３７９０６号公報
【特許文献２】特開２００１−１６１２６号公報
【非特許文献１】標準規格ARIB STD-T79：市町村デジタル移動通信システム  社団法人  電波産業会
【非特許文献２】標準規格ARIB STD-T61：狭帯域デジタル通信方法  社団法人  電波産業会
【発明の開示】
【発明が解決しようとする課題】
【００２２】
以上詳述したように、発信回路（ＶＣＴＣＸＯ）は、無線装置の送受信時において安定した周波数精度をもつ目的で使用されているが、無線装置の電源ＯＮ時、または基地局を介さずに無線装置同士が直接通信を行う直接通信の送信時には、受信周波数同調のための制御データがないため、発信回路（ＶＣＴＣＸＯ）の発振周波数は、記憶部に書き込まれている初期値に戻ってしまうので、無線装置の電源ＯＮ時、または基地局を介さない無線装置同士の直接通信等の度にＡＦＣによる水晶発振器の発振周波数の自動制御が必要となってしまう。特に、発信回路（ＶＣＴＣＸＯ）の経年変化が無視できない場合等では、記憶部に記憶している初期値の再調整が必要となり、保守点検が大きな問題となっている。
【００２３】
本発明の目的は、発信周波数の再調整を容易にする無線装置を提供することである。
【００２４】
本発明の他の目的は、発信周波数を定めている記憶部の初期値を書換え可能な無線装置を提供することである。
【００２５】
本発明の更に他の目的は、発信周波数を定めている記憶部の初期値の書換え回数を低減し、製品の長寿命化を図る無線装置を提供することである。
【課題を解決するための手段】
【００２６】
本発明は、第１の受信部、送信部、デジタル信号処理部および第１の発振部を有する無線装置であって、上記第１の受信部は、少なくとも基地局からの受信信号を中間周波信号に変換する第１の周波数混合部を有し、上記送信部は、所定の無線周波数を生成する第２の周波数混合部を有し、上記デジタル信号処理部は、上記第１の周波数混合部からの信号を復調する第１の復調部と、上記基地局からの受信信号の周波数と上記発振部の発振周波数との誤差信号電圧を出力する第１の自動周波数制御回路および入力信号を変調する変調部を有し、上記第１の発振部は、所定の基本周波数で発振する第１の発振回路と、上記第１の発振回路に供給される電圧値を記憶する記憶部と、上記自動周波数制御回路からの誤差信号電圧に基づいて上記記憶部の電圧値を書き換える制御部および上記記憶部の電圧値と上記第１の自動周波数制御回路からの誤差信号電圧とを加算して上記第１の発振回路に供給する加算部を有し、上記第１の発振部の出力を上記第１と第２の周波数混合部に供給するように構成される。
【００２７】
また、本発明の無線装置において、上記第１の発振部の制御部は、第１の閾値設定部を有し、上記第１の自動周波数制御回路からの誤差信号電圧が上記第１の閾値設定部で設定された誤差範囲を超える場合、上記制御部は、上記記憶部に記憶されている電圧値を書き換えるように構成される。
【００２８】
また、本発明の無線装置において、更に、第２の受信部および第２の発振部を有し、上記第２の受信部は、少なくとも他の無線装置からの受信信号を中間周波信号に変換する第３の周波数混合部を有し、上記デジタル信号処理部は、更に、上記第３の周波数混合部からの信号を復調する第２の復調部と、上記他の無線装置からの受信信号の周波数と上記第２の発振部の発振周波数との誤差信号電圧を出力する第２の自動周波数制御回路を有し、上記第２の発振部は、所定の基本周波数で発振する第２の発振回路と、上記第２の発振回路に供給される電圧値を記憶する記憶部と、上記第２の自動周波数制御回路からの誤差信号電圧に基づいて上記記憶部の電圧値を書き換える制御部および上記記憶部の電圧値と上記第２の自動周波数制御回路からの誤差信号電圧とを加算して上記第２の発振回路に供給する加算部を有し、上記第２の発振部の出力を上記第３の周波数混合部に供給するように構成される。
【００２９】
また、本発明の無線装置において、上記第２の発振部の制御部は、第２の閾値設定部を有し、上記第２の自動周波数制御回路からの誤差信号が上記第２の閾値設定部で設定された誤差範囲を超える場合、上記制御部は、上記記憶部に記憶されている電圧値を書き換えるように構成される。
【発明の効果】
【００３０】
以上説明したように、本発明によれば、発信周波数の再調整を容易にする無線装置を実現できる。また、工場出荷時に調整された発振周波数の変動を自動的に修正できるので、保守点検が容易になる。また、自動修正の回数を少なくすることにより無線装置の長寿命化が図れる等の効果がある。更に、基地局との通信の場合に基地局の基準信号に追従させたり、あるいは自局から送信される直接通信波に直接通信受信側の基準信号を追従させることにより、基地局信号を受信する無線装置側あるいは直接通信受信側の基準信号発振周波数の誤差を小さくすることを可能とし、定期保守にて確認や再調整のための頻度を少なくできる等の特徴がある。
【発明を実施するための最良の形態】
【００３１】
以下、本発明の一実施例について図面を用いて説明する。図１は、本発明の一実施例の概略構成を示すブロック図である。図１において、１２０は、ＡＦＣ（Automatic Frequency Controller：自動周波数制御回路）、１２１は、加算器、１２２は、減算器（または差分器ともいう。）、１２３は、入力端子、１２４は、制御部、１２５は、記憶部、１２６は、閾値設定部である。なお、図５と同じものには同じ符号が付されている。また、閾値設定部については、別の実施例で説明する。なお、高周波増幅部１０３、周波数混合部１０４、中間周波増幅部１０５、ＡＤ変換部１０６等で構成される部分を第１の受信部と称し、ＤＡ変換部１１５、中間周波増幅部１１６、周波数混合部１１７、電力増幅部１１８等で構成される部分を送信部と称する。また、加算器１２１、減算器（または差分器ともいう。）１２２、入力端子１２３、制御部１２４、記憶部１２５、閾値設定部１２６、ＤＡ変換部１１０、発振回路１１１、ローカル回路１１２等で構成される部分を第１の発振部と称する。
【００３２】
図１に示す本発明の無線装置の動作を説明する前に本発明の基本的な技術内容について説明する。先に説明したように標準規格ARIB STD-T79（例えば、非特許文献１参照）で定められている移動通信システム、あるいは、標準規格ARIB STD-T61（例えば、非特許文献２参照）で定められている狭帯域デジタル通信システム等の通信システムでは、使用が許可されるための周波数許容偏差が厳しく定められていることを説明した。例えば、標準規格ARIB STD-T61、狭帯域デジタル通信システムでは、表１に示すように周波数許容偏差が定められている。
【００３３】
【表１】
0004629557.tif 000002
表１は、周波数４００ＭＨｚ帯での基地局および移動局（無線装置）の送信装置の周波数許容偏差ＦＤを示すもので、基地局では、ＦＤ＝±０．９ｐｐｍである。ここに、ｐｐｍは、０．０００１％を表わす。移動局では、送信装置の出力１Ｗ以上では、ＦＤ＝±０．９ｐｐｍ、また、１Ｗ以下では、ＦＤ＝±１．５ｐｐｍと定められている。
【００３４】
さて、表１に示されるように基地局および移動局（無線装置）の送信装置の周波数許容偏差ＦＤが定められており、無線システムを構築する場合には、この周波数許容偏差ＦＤの範囲内に入るように基地局および移動局（無線装置）の送信装置を構成することが要求されている。そして、基地局は、一般的に精度の高い部品で構成されるため、例えば、送受信装置を構成する基準発振器も温度変動に強く、経年変化の少ない発振器が使用され、基地局の送信装置の周波数許容偏差ＦＤは、±０．９ｐｐｍの範囲内になるように構成されている。このような基地局で用いられる発振器は、高価であり、基地局の発振器としては使用できる。しかしながら、数十台あるいは数百台もの多数の移動局（無線装置）の送信装置にこのような高価な発振器を使用することは、移動局のコスト低減のためには難しい。従って、多数の移動局（無線装置）の送受信装置に使用される発振器としては、市販されている比較的安価な水晶発振器を使用せざるを得ないのが実情である。このような市販されている水晶発振器では、仕様値が、例えば、経年変化：±１．０ｐｐｍ／年である。従って、このような市販されている水晶発振器を使用した場合、１年が経過すると、表１に示す移動局の出力１Ｗ以上の場合、送信装置の周波数許容偏差ＦＤ＝±０．９ｐｐｍを超えることなり、無線システムとしては問題となる。従って、本発明は、このような市販されている比較的安価な水晶発振器を用い、しかも、標準規格ARIB STDで定められている周波数許容偏差ＦＤ以内の無線装置を実現するものである。
【００３５】
以下、本発明の発信回路（ＶＣＴＣＸＯ）の発振周波数の補正方法の一実施例について説明する。図１において、まず、基地局からの信号を受信する場合について説明する。アンテナ１０１から取り込まれた受信信号は、高周波増幅部１０３にて次段の周波数混合部１０４で必要とするレベルにまで増幅され、周波数混合部１０４に入力される。周波数混合部１０４では、受信信号の周波数とローカル回路１１２の出力であるローカル信号が混合され、中間周波数に変換される。ローカル回路１１２は、発信回路（ＶＣＴＣＸＯ）１１１からの基準周波数を分周・逓倍し、所定のローカル信号を出力する。中間周波数に変換された受信信号は、中間周波増幅部１０５で増幅され、ＡＤ変換部１０６を介してデジタル信号処理部１０７の復調部１０８に入力され、デジタル復調された後、出力端子１０９から、例えば、音声信号が出力される。
【００３６】
また、復調部１０８からは、受信周波数同調のための制御データがＡＦＣ（Automatic Frequency Controller：自動周波数制御回路）１２０に供給される。ＡＦＣ１２０では、受信信号の周波数と発信回路（ＶＣＴＣＸＯ）１１１の発振周波数との周波数誤差を計算し、周波数誤差に対応する電圧値ΔＶを加算器１２１に供給する。加算器１２１では、記憶部１２５に記憶されている発信回路（ＶＣＴＣＸＯ）１１１の基準周波数、例えば、１９．２ＭＨｚに対応する初期電圧値Ｖ０が記憶されており、この電圧が読み出され、加算器１２１に供給されるので、ＡＦＣ１２０からの周波数誤差に対応する電圧値と加算される。即ち、ＤＡ変換部１１０に供給される発信回路（ＶＣＴＣＸＯ）１１１の制御電圧Ｖｃは、次式で表わされる。
【００３７】
Ｖｃ＝Ｖ０＋ΔＶ・・・・・・・・・・・・・・・・・・・（１）
ここで、Ｖｃ：発信回路（ＶＣＴＣＸＯ）１１１の制御電圧、Ｖ０：記憶部１２５の初期電圧値、ΔＶ：ＡＦＣ１２０から出力される周波数誤差に対応する電圧値を表わす。
【００３８】
従って、（１）式で示す制御電圧ＶｃがＤＡ変換部１１０を介して発信回路（ＶＣＴＣＸＯ）１１１に供給される。これによって発信回路（ＶＣＴＣＸＯ）１１１は、受信信号の周波数に自動調整される。更に、加算器１２１の出力Ｖｃは、減算器１２２に供給され、記憶部１２５に記憶されている初期電圧値Ｖ０と比較され、差分電圧ΔＶが制御部１２４に供給される。
【００３９】
而して、記憶部１２５は、無線装置の出荷時に、発信回路（ＶＣＴＣＸＯ）１１１の最適な基準発振周波数となる電圧値を記憶させていることを説明した。従って、出荷当初においては、発信回路（ＶＣＴＣＸＯ）１１１は、温度変動や経年変化は、殆ど無く、基準発振周波数も、例えば、１９．２ＭＨｚに維持されているので、減算器１２２の出力は、ほぼ、零である。しかしながら前述したように経年変化により発信回路（ＶＣＴＣＸＯ）１１１の発振周波数ｆ０が変化すると、ＡＦＣ１２０からの周波数誤差に対応する電圧値ΔＶが出力される。その結果、減算器１２２の出力として記憶部１２５の記憶されている初期電圧値Ｖ０との差分電圧値ΔＶが制御部１２４に出力される。従って、制御部１２４は、この差分電圧値ΔＶに基づいて記憶部１２５に記憶されている初期電圧値Ｖ０を電圧値Ｖ１に書換え、経年変化により発信回路（ＶＣＴＣＸＯ）１１１の発振周波数が変化した分だけ補正し、基の基準発振周波数１９．２ＭＨｚとなるようにする。なお、上記の説明でのこれらの処理は、実際の装置では、デジタル的に行われることは言うまでもない。
【００４０】
次に、無線装置から信号を送信する場合について説明する。入力端子１１３から音声信号が入力されると、デジタル信号処理部６０７の変調部１１４にてデジタル送信信号を生成し、ＤＡ変換部１１５を介して、中間周波数増幅部１１６にて周波数混合部１１７で必要とする所定入力レベルに増幅し、周波数混合部１１７に供給される。一方、無線装置では、送信操作を行うことによって、例えば、プレストークスイッチをＯＮすると、これに連動して入力端子１２３にトリガー信号が印加され、制御部１２４を駆動し、記憶部１２５から書き換えられた電圧値Ｖ１が読み出され、加算器１２１、ＤＡ変換部１１０を介して発信回路（ＶＣＴＣＸＯ）１１１に供給される。従って、経年変化等で変化した発振周波数が電圧値Ｖ１を印加されることによって基準の周波数、例えば、１９．２ＭＨｚを発振し、ローカル回路１１２で分周・逓倍され、周波数混合部１１７に供給され、周波数混合部１１７で所定の送信周波数に変換され、電力増幅部１１８、切替スイッチ１０２を介してアンテナ１０１から基地局に送信される。
【００４１】
以上、説明したように受信時には、基地局からの送信周波数に追随して発信回路（ＶＣＴＣＸＯ）１１１の発振周波数が制御され、同時に記憶部１２５の記憶している電圧値が書き換えられる。従って、送信時には、記憶部１２５に記憶されている電圧値Ｖ１で発信回路（ＶＣＴＣＸＯ）１１１の発振周波数が制御されるので、発信回路（ＶＣＴＣＸＯ）１１１の経年変化等による周波数変動を軽減あるいは無くすことが可能となる。換言すれば、図５で示す従来の無線装置では、送受信が動作している場合は、受信時に基地局からの送信周波数にＡＦＣにより追随して発信回路（ＶＣＴＣＸＯ）１１１の発振周波数が制御され、送信時は、この追随した発信回路（ＶＣＴＣＸＯ）１１１の発振周波数で所定の送信周波数を生成するので、正しい発振周波数で動作する。
【００４２】
しかしながら一旦無線装置の動作を止め、電源をＯＦＦすると、図５に示す装置では、発信回路（ＶＣＴＣＸＯ）１１１の発振周波数は、基地局からの送信周波数に追随しなくなる。また、記憶部５０５には、初期電圧値Ｖ０が記憶されているのみであるので、無線装置の送信操作を行なう場合には、記憶部５０５に記憶されている初期電圧値Ｖ０で発信回路（ＶＣＴＣＸＯ）１１１の発振周波数が決まるので、発信回路（ＶＣＴＣＸＯ）１１１が経年変化等で周波数許容偏差が±０．９ｐｐｍの範囲を超える場合には問題となるが、本発明のように記憶部１２５の初期電圧値Ｖ０を電圧値Ｖ１に書き換えることで、このような問題が改善される。
【００４３】
次に、本発明の他の一実施例について図１を用いて説明する。図１の説明では、減算器１２２の出力が制御部１２４に供給され、差分電圧ΔＶが発生すると、この差分電圧ΔＶに応じて記憶部１２５の電圧値を書き換えることとなる。このような場合、例えば、ＡＦＣ１２０からの差分電圧ΔＶが発生する度に記憶部１２５の内容を書き換えることとなる。このように構成すると、極端な場合、無線装置を１日当り１００回使用すると、記憶装置１２５の内容を１日当り１００回、書き換えることとなる。そして、記憶装置１２５を、例えば、不揮発性メモリで構成している場合、不揮発性メモリの書き換えは、約１０万回が補償されているが、上記のような使用状態では、３年で１０万回を超えてしまうため、無線装置としての寿命は、約３年となり、短か過ぎると言う問題がある。従って、本実施例では、制御部１２４に閾値設定部１２６を設け、所定レベルＬ以上の電圧変動変動がある場合に記憶装置１２５の内容を書き換えるようにして１日当りの書き換え回数を低減したものである。例えば、表１に示す移動局の出力１Ｗ以上の周波数偏差ＦＤが±０．９ｐｐｍ以内と定められているので、多少余裕を持って、例えば、周波数偏差ＦＤが±０．７ｐｐｍを超える場合、即ち、制御部１２４の閾値設定部１２６に周波数偏差ＦＤが±０．７ｐｐｍを超える場合の所定のレベルＬを設定しておき、この所定のレベルＬを超える場合、不揮発性メモリの内容を書き換える。実験によれば、このように設定することにより不揮発性メモリの内容の書き換え頻度は、約１／３程度となり、不揮発性メモリの寿命が１０年程度にすることが可能になった。
【００４４】
なお、上記実施例では、標準規格ARIB STDを例にして４００ＭＨｚ帯の場合について説明したが、これらに限定されるものではなく、また、周波数許容偏差や不揮発性メモリの書き換え寿命等、記憶部の書き換え頻度等の閾値については、システム構成、使用目的に応じて適宜実験的に設定、変更等が可能であることは言うまでもない。
【００４５】
次に、本発明の他の一実施例について図２を用いて説明する。図２は、基地局あるいは基地局を介して他の無線装置（または他の移動局）と通信を行う機能と、他の無線装置（または他の移動局）と直接通信を行う機能とを有する無線装置の一実施例の概略構成を示すブロック図である。２０１は、減算器（または差分器）、２０２は、入力端子、２０３は、制御部、２０４は、記憶部、例えば、不揮発性メモリ等の半導体メモリ、２０５は、閾値設定部、２０６は、アンテナスイッチ、２０７は、終端抵抗である。なお、図１および図６と同じものには同じ符号が付されている。
【００４６】
図２において、まず、基地局あるいは基地局を介して他の無線装置（または他の移動局）と通信を行う受信機能について説明する。なお、この受信機能は、図１に示すものと同じであるので、簡単に説明する。基地局から送信された送信波は、アンテナ１０１を介して受信する。アンテナ１０１で受信した受信信号は、切替スイッチ１０２を介して、基地局通信用高周波増幅部１０３で増幅を行い、周波数混合部１０４に入力される。周波数混合部１０４に入力された受信信号は、ローカル回路１１２から出力される受信ローカル信号と混合され、中間周波数に変換される。ローカル回路１１２から出力される受信ローカル信号は、発振回路（ＶＣＴＣＸＯ）１１１から出力される基準周波数を分周・逓倍することにより所定の周波数を生成する。また、発振回路（ＶＣＴＣＸＯ）１１１から出力される基準周波数は、無線装置が出荷される時に最適な周波数になるように記憶部２０４に所定の電圧が書き込まれ、運用時には、記憶部２０４からこの値を読み出し、ＤＡ変換部１１０でＤＡ変換し、発振回路（ＶＣＴＣＸＯ）１１１にこの電圧を入力することにより所定の基準周波数、例えば、１９．２ＭＨｚが出力される。周波数混合部１０４で中間周波数に変換された信号は、中間周波増幅部１０５で所定のレベルに増幅され、ＡＤ変換部１０６にてデジタル信号に変換され、デジタル信号処理部６０７の基地波復調部１０８に入力され、デジタル復調され、出力端子１０９から音声信号が出力される。
【００４７】
また、基地波復調部１０８から受信周波数同調のための制御データがＡＦＣ（Automatic Frequency Controller：自動周波数制御回路）１２０に供給される。ＡＦＣ１２０では、上記実施例と同様に受信信号の周波数と発振回路（ＶＣＴＣＸＯ）１１１の発信周波数との周波数誤差を計算し、加算器１２１に出力する。加算器１２１には、記憶部２０４に記憶されている電圧値が供給され、その出力として（１）式で示される制御電圧ＶｃがＤＡ変換部１１０を介して発振回路（ＶＣＴＣＸＯ）１１１に供給され、基地局から送信されてきた周波数にローカル周波数を追従させ最適に復調できるように構成されている。また、加算器１２１の出力は、減算器１２２に供給され、記憶部２０４から読み出される電圧値と比較され、差分電圧ΔＶが制御部２０３に供給される。そして、差分電圧ΔＶに対応する電圧値に記憶部２０４の電圧値を書き換える。このような動作についても図１に示す実施例と同様であるので、詳細な説明は省略する。また、閾値設定部２０５は、上記実施例と同様に記憶部２０４の書き換え頻度を低減するために、所定の閾値レベルＬを設定し、差分電圧ΔＶが所定値を超えた場合に書き換えるようにするものであり、これについても上記実施例と同様である。
【００４８】
次に、基地局あるいは基地局を介して他の無線装置（または他の移動局）と通信を行う送信機能について説明する。入力端子１１３に入力される音声信号は、デジタル信号処理部６０７の変調部１１４でデジタル変調され、ＤＡ変換部１１５、中間周波増幅部１１６を介して周波混合部１１７に供給される。そして、既に、説明したように発振回路（ＶＣＴＣＸＯ）１１１は、受信信号の周波数に追従した基準周波数に制御されているので、この発振回路（ＶＣＴＣＸＯ）１１１の出力がローカル回路１１２で分周・逓倍された信号が周波混合部１１７に供給される。従って、周波混合部１１７で所定の基地局通信用の周波数に変換され、電力増幅部１１８、切替スイッチ１０２を介してアンテナ１０１から基地局に送信される。
【００４９】
次に、移動局間直接通信の動作について説明する。図６でも説明したように移動局間直接通信で用いられる無線キャリアは、図４に示すように基地局との上り無線キャリアＦｒの下側近傍の無線キャリアＷが使用されているので、移動局間直接通信の場合の送信動作は、ローカル回路１１２での分周・逓倍の量を変更し、周波数混合部１１７で、例えば、無線キャリアＷ１を生成し、電力増幅部１１８、切替スイッチ１０２を介してアンテナ１０１から相手側無線装置に送信される。従って、この場合の発振回路（ＶＣＴＣＸＯ）１１１の出力周波数は、基地局からの受信信号の周波数に追従した基準周波数に制御されているので、発振回路（ＶＣＴＣＸＯ）１１１の出力周波数は、周波数許容偏差以内に保たれている。
【００５０】
次に、移動局間直接通信の場合の受信装置について図２を用いて説明する。直接通信用のアンテナ６０１にて他の無線装置からの直接通信波を受信する。アンテナスイッチ２０６は、終端抵抗２０７との切替のためのスイッチであり、入力高周波電力が非常に大きい場合に終端抵抗２０７側に接続することにより、直接通信用高周波増幅部６０２に大きな電力が入り、直接通通信用高周波増幅部６０２が破壊されないよう保護するものである。このように入力高周波電力が非常に大きい場合、直接通信高周波受信増幅部６０２にアンテナ６０１が接続されてなくとも、漏れ電力により、アンテナ６０１に入力される入力高周波電力レベルから一定レベル低下した電力レベルで直接通信送信波を直接通信高周波増幅部６０２に入力することができる。なお、入力高周波電力がそれほど大きくない場合には、アンテナ６０１と直接通信高周波増幅部６０２とをアンテナスイッチ２０６で接続することは言うまでもない。
【００５１】
入力された直接通信波は、高周波増幅部６０２で増幅され、周波数混合部６０３に入力される。周波数混合部６０３に入力された受信信号は、ローカル回路６１２から出力されるローカル信号と混合され、中間周波数に変換される。ローカル回路６１２から出力されるローカル信号は、発振回路（ＶＣＴＣＸＯ）６１１から出力される基準周波数を分周・逓倍することにより所定の周波数を生成する。周波数混合部６０３で中間周波数に変換された信号は、中間周波増幅部６０４で所定のレベルに増幅され、ＡＤ変換部６０５にてデジタル信号に変換され、デジタル信号処理部６０７の直接波復調部６０８でデジタル復調され、出力端子６０９から音声信号が出力される。また、直接波復調部６０８からは、他の無線装置から送信される受信周波数同調のための制御データがＡＦＣ（Automatic Frequency Controller：自動周波数制御回路）６２０に供給される。ＡＦＣ６２０では、受信信号の周波数と発振回路（ＶＣＴＣＸＯ）６１１の発信周波数との周波数誤差を計算し、誤差電圧を加算器６２１に出力する。加算器６２１には、記憶部２０４に記憶されている電圧値が読み出され、ＡＦＣ６２０からの誤差電圧とを加算し、ＤＡ変換部６１０を介して発振回路（ＶＣＴＣＸＯ）６１１に制御電圧を供給する。これによって他の無線装置から送信されてきた周波数にローカル周波数を追従させ最適に復調できるように構成されている。
【００５２】
また、加算器６２１の出力は、減算器２０１で記憶部２０４から読み出される電圧値と比較され、差分電圧が制御部２０３に供給される。そして、この多分電圧に対応する電圧で記憶部２０４が書き換えられる。これによって前記実施例で説明したと同様に発振回路（ＶＣＴＣＸＯ）６１１の経年変化による基準周波数の変化分を修正することが可能である。また、減算器２０１からの差分電圧が発生する度に、記憶部２０４を書き換えると、記憶部２０４が、例えば、不揮発性メモリで構成されている場合には、前述のように書き換え回数に制限があるので、閾値設定部２０５で、所定の閾値を設定し、書き換え回数の頻度を低減することもできる。
【００５３】
なお、図２に示す実施例では、制御部２０３、記憶部２０４および閾値設定部２０５を基地局との通信用受信装置と、他の無線装置との直接波受信用の受信装置と共用する実施例について説明したが、発振回路（ＶＣＴＣＸＯ）１１１および６１１は、それぞれ異なり、周波数変動分も異なるので、それぞれの制御は、当然異なっている。従って、無線装置としては一体に示してあるが、制御部２０３、記憶部２０４および閾値設定部２０５をそれぞれ別々に設けるのが望ましい。
【００５４】
また、高周波増幅部６０２、周波数混合部６０３、中間周波増幅部６０４、ＡＤ変換部６０５等で構成される部分を受信部と称し、加算器６２１、減算器（または差分器ともいう。）２０１、入力端子２０２、制御部２０３、記憶部３０４、閾値設定部２０５、ＤＡ変換部６１０、発振回路６１１、ローカル回路６１２等で構成される部分を発振部と称する。
【００５５】
図３は、本発明の更に他の一実施例の概略構成を示すブロック図である。なお、上記各実施例では、デジタル無線装置で説明したが、本実施例は、アナログ無線装置で説明するが、基本的な動作は、アナログであっても、デジタルであっても同様である。図３において、アンテナ３０１から入力される受信信号は、切替スイッチ３０２を介してバンドパスフィルタ（ＢＰＦ）３０３に供給される。切替スイッチ３０２は、送信、受信を切替えるためスイッチであり、単信通信の場合は、プレストークスイッチで構成される場合と、複信通信の場合は、送受信を高速に切替えるスイッチで構成する場合がある。ＢＰＦ３０３では、帯域外信号が除去され、高周波増幅部３０４に入力され増幅される。次に、バンドパスフィルタ（ＢＰＦ）３０５で再度帯域外信号が除去され、周波数混合部３０６に入力される。周波数混合部３０６には、ＰＬＬ（Phase Locked Loop）周波数シンセサイザ３１５からの搬送波信号が供給され、高周波増幅部３０４からの高周波信号を中間周波数帯域の信号に変換し、バンドパスフィルタ（ＢＰＦ）３０７でイメージ成分、搬送波成分が除去され、信号処理部３０９に供給される。なお、ＰＬＬ周波数シンセサイザ３１５は、位相比較器、ローパスフィルタ、電圧制御発振器（ＶＣＯ：Voltage Control Oscillator）で構成される、所謂、通常のＰＬＬ周波数シンセサイザが使用されているので、詳細な説明は省略する。信号処理部３０９の復調部３１０では、入力信号が所定の復調信号処理され、出力端子３１１から音声信号が出力される。
【００５６】
ここで、周波数自動制御について説明する。３１４は、切替スイッチであり、基地局との通信においては、端子ａ側に接続されている。３１３は、水晶発振器等の発振回路であり、所定の基準発振周波数、例えば、１９．２ＭＨｚの発振周波数を切替スイッチ３１４を介して周波数シンセサイザ３１５に供給している。この状態で復調部３１０から基地局からの受信周波数成分と発振回路３１３からの周波数成分とがＡＦＣ（Automatic Frequency Controller：自動周波数制御回路）３１２に供給される。ＡＦＣ３１２では、基地局からの受信周波数成分と発振回路３１３からの周波数成分とを比較し、発振回路３１３の周波数偏差分を検出し、この周波数偏差分を発振回路３１３に供給し、発信周波数を自動調整する。従って、発振回路３１３の経年変化等による周波数変動も基地局からの送信周波数にＡＦＣ３１２により追随して制御され、補正されるように構成されている。
【００５７】
一方、送信時には、入力端子３１７から入力された音声信号は、信号処理部３０９の変調部３１８で送信に必要な所定の変調を行い中間周波増幅部３１９に供給する。中間周波増幅部３１９では、所定レベルに信号増幅し、周波数混合部３２０に供給する。周波数混合部３２０では、ＰＬＬ周波数シンセサイザ３１５からの搬送波信号と混合され、所定の送信周波数に変換され、電力増幅器３２１、バンドパスフィルタ（ＢＰＦ）３２２、切替スイッチ３０２を介してアンテナ３０１から基地局に送信される。この送信時の搬送波周波数は、発振回路３１３の基準周波数で決定されるが、上述したように発振回路３１３の基準周波数は、基地局からの受信周波数に追随して制御されているので、送信周波数も変動の無いものとなっている。
【００５８】
次に、切替スイッチ３１４を端子ｂ側に接続した場合について説明する。上記説明では基地局と送受信する場合、発振回路３１３は、基地局からの受信周波数に追随して制御されているので、発振回路３１３の基準発振周波数も安定に制御されているが、無線装置がＯＦされている状態では、発振回路３１３の基準発振周波数は、基地局からの受信周波数に追随して制御されないため、発振回路３１３の基準発振周波数は変動し、問題となる。従って、本実施例で使用される発振器３１６は、高精度水晶発信器等の高安定な発振器を使用する。このような高安定な発振回路は、温度変動、機械的なストレス、環境変化等にも殆ど影響されないで、例えば、周波数許容偏差ＦＤは、±０．９ｐｐｍの範囲内にあるように構成された発振回路である。そして、無線装置から送信を開始する場合には、電源スイッチをＯＮすると、切替スイッチ３１４が端子ｂ側に接続され、発振回路３１６から、例えば、基準発振周波数１９．２ＭＨｚの高安定な発振周波数の信号がＰＬＬ周波数シンセサイザ３１５を介して周波数混合部３２０に供給され、周波数混合部３２０で所定の送信搬送波信号が生成される。
【００５９】
このように基地局からの信号が受信できる場合は、基地局からの信号に追従し、基地局からの信号が受信できない場合は、発振回路を切替えて高精度水晶発振回路を接続し、基地局からの信号を受信しなくとも高安定の周波数で送信可能とすることができる。更に、このように構成することで基地局からの信号を受信できない場所でも送受信が可能となる。
【００６０】
以上、本発明について詳細に説明したが、本発明は、ここに記載された無線装置の実施例に限定されるものではなく、上記以外の無線装置に広く適応することが出来ることは、言うまでも無い。
【図面の簡単な説明】
【００６１】
【図１】本発明の一実施例の概略構成を示すブロック図である。
【図２】本発明の他の一実施例の概略構成を示すブロック図である。
【図３】本発明の更に他の一実施例の概略構成を示すブロック図である。
【図４】本発明で使用される無線キャリアを説明するための図である。
【図５】従来の無線装置の一例を示すブロック図である。
【図６】従来の無線装置の他の一例を示すブロック図である。
【符号の説明】
【００６２】
１０１、３０１、６０１：アンテナ、１０２、２０６、３０２、３１４：切替スイッチ、１０３、３０４、６０２：高周波増幅部、１０４、１１７、３０６、３２０、６０３：周波数混合部、１０５、１１６、３０８、３１９、６０４：中間周波増幅部、１０６、６０５：ＡＤ変換部、１０７、６０７：デジタル信号処理部、１０８、３１０：復調部、１０９、３１１、６０９：出力端子、１１０、１１５、６１０：ＤＡ変換部、１１１、３１３、３１６、６１１：発振回路、１１２、６１２：ローカル回路、１１３、１２３、２０２、３１７、５０３、６２２：入力端子、１１４、３１８：変調部、１１８、３２１：電力増幅部、１２０、３１２、５０１、６２０：ＡＦＣ、１２１、５０２、６２１：加算部、１２２、２０１：減算部、１２４、２０３、５０４、６２３：制御部、１２５、２０４、５０５、６２４：記憶部、１２６、２０５：閾値設定部、２０６：アンテナスイッチ、２０７：終端抵抗、３０３、３０５、３０７、３２２：ＢＰＦ、３０９：信号処理部、３１５：周波数シンセサイザ、６０８：直接波復調部。
【図１】
0004629557.tif 000003
【図２】
0004629557.tif 000004
【図３】
0004629557.tif 000005
【図４】
0004629557.tif 000006
【図５】
0004629557.tif 000007
【図６】
0004629557.tif 000008